(57)【特許請求の範囲】
【請求項１】
円環形状をなすリング状板部と、各々が上記リング状板部の内側縁から内側に延びる複数の延出片と、を備え、
上記各延出片は、上記リング状板部の周方向における一方側端および他方側端において直線状に延びる第１の端縁および第２の端縁を有し、
上記各延出片のうち上記第１の端縁の少なくとも一部を含む第１部分と、当該延出片に対して上記周方向において上記一方側に隣接する上記延出片のうち上記第２の端縁の少なくとも一部を含む第２部分とは、上記リング状板部の厚さ方向視において重なり、
上記複数の延出片それぞれにおける上記第１部分は、これと重なり合う上記第２部分に対して、上記厚さ方向の片方である第１方向側に位置する、飾りリボン作製具。
【請求項２】
上記各延出片における上記第１の端縁および上記第２の端縁は、上記リング状板部の径方向内方に向かうにつれて互いが近づく、請求項１に記載の飾りリボン作製具。
【請求項３】
上記リング状板部の厚さ方向視において、上記第１の端縁の延長線が上記リング状板部の中心に最も近づく第１位置と上記第２の端縁の延長線が上記中心に最も近づく第２位置とは、上記中心を挟んで反対側に位置しており、
上記中心と上記第２位置との距離は、上記中心と上記第１位置との距離よりも小さい、請求項２に記載の飾りリボン作製具。
【請求項４】
上記各延出片は、その厚さ方向への曲げ変形とその復元とが可能に弾性を有している、請求項１ないし３のいずれかに記載の飾りリボン作製具。
【請求項５】
上記複数の延出片には、上記厚さ方向の片方である上記第１方向とは反対の第２方向に見て、上記リング状板部と同心円状の案内線が設けられている、請求項１ないし４のいずれかに記載の飾りリボン作製具。
【請求項６】
上記リング状板部は、その厚さ方向において重なり合う状態で接合された第１リング板部および第２リング板部からなり、
上記複数の延出片のうち、上記リング状板部の周方向において一つ置きに位置する半数のものは上記第１リング板部につながり、残り半数のものは上記第２リング板部につながる、請求項１ないし５のいずれかに記載の飾りリボン作製具。
【発明の詳細な説明】
【技術分野】
【０００１】
本発明は、リボンテープから飾りリボンを作製するための飾りリボン作製具に関する。
【背景技術】
【０００２】
優れた装飾効果を発揮する装飾用素材として、ロゼット（勲章）と呼称される飾りリボンが知られている。このロゼットは、一般に、ひだ状に形成されたプリーツ部に模様付きの生地を被せたくるみボタンが取り付けられた構成である。上記プリーツ部は、リボンテープをひだ状に折り返しながら縫製することにより作製される。プリーツの作製に際し、たとえば型紙等を用いて、リボンテープを一ひだ折り返す毎に適所を縫い、これを繰り返す。これにより、略円形状のプリーツ部が得られる（たとえば、非特許文献１を参照）。
【０００３】
プリーツを作製する際、完成形が略円形となるようにひだの形態を整えながら作業を進める必要があるが、これにはある程度の熟練が必要となる。また、一ひだ折り返す毎に縫い作業を行う必要があるので、作業効率が悪かった。
【先行技術文献】
【非特許文献】
【０００４】
【非特許文献１】「てづくりロゼット」、文化出版局、２０１５年１月１３日第６刷発行、ｐ．４４〜ｐ．４７
【発明の概要】
【発明が解決しようとする課題】
【０００５】
本発明はこのような事情のもとで考え出されたものであって、飾りリボンを簡単かつ効率よく作製することができる飾りリボン作製具を提供することを主たる課題とする。
【課題を解決するための手段】
【０００６】
上記の課題を解決するため、本発明では、次の技術的手段を講じている。
【０００７】
本発明によって提供される飾りリボン作製具は、円環形状をなすリング状板部と、各々が上記リング状板部の内側縁から内側に延びる複数の延出片と、を備え、上記各延出片は、上記リング状板部の周方向における一方側端および他方側端において直線状に延びる第１の端縁および第２の端縁を有し、上記各延出片のうち上記第１の端縁の少なくとも一部を含む第１部分と、当該延出片に対して上記周方向において上記一方側に隣接する上記延出片のうち上記第２の端縁の少なくとも一部を含む第２部分とは、上記リング状板部の厚さ方向視において重なり、上記複数の延出片それぞれにおける上記第１部分は、これと重なり合う上記第２部分に対して、上記厚さ方向の片方である第１方向側に位置することを特徴としている。
【０００８】
好ましい実施の形態においては、上記各延出片における上記第１の端縁および上記第２の端縁は、上記リング状板部の径方向内方に向かうにつれて互いが近づく。
【０００９】
好ましい実施の形態においては、上記リング状板部の厚さ方向視において、上記第１の端縁の延長線が上記リング状板部の中心に最も近づく第１位置と上記第２の端縁の延長線が上記中心に最も近づく第２位置とは、上記中心を挟んで反対側に位置しており、上記中心と上記第２位置との距離は、上記中心と上記第１位置との距離よりも小さい。
【００１０】
好ましい実施の形態においては、上記各延出片は、その厚さ方向への曲げ変形とその復元とが可能に弾性を有している。
【００１１】
好ましい実施の形態においては、上記複数の延出片には、上記厚さ方向の片方である上記第１方向とは反対の第２方向に見て、上記リング状板部と同心円状の案内線が設けられている。
【００１２】
好ましい実施の形態においては、上記リング状板部は、その厚さ方向において重なり合う状態で接合された第１リング板部および第２リング板部からなり、上記複数の延出片のうち、上記リング状板部の周方向において一つ置きに位置する半数のものは上記第１リング板部につながり、残り半数のものは上記第２リング板部につながる。
【００１３】
本発明のその他の特徴および利点は、添付図面を参照して以下に行う詳細な説明によって、より明らかとなろう。
【図面の簡単な説明】
【００１４】
【図１】本発明に係る飾りリボン作製具の一例を示す平面図である。
【図２】図１に示す飾りリボン作製具に補助的な線などを記入した図である。
【図３】図２のＩＩＩ−ＩＩＩ線に沿う断面図である。
【図４】図１に示す飾りリボン作製具を構成するプレート部材を示す平面図である。
【図５】図１に示す飾りリボン作製具の使用状態を説明するための平面図である。
【図６】図１に示す飾りリボン作製具の使用状態を説明するための平面図である。
【図７】図１に示す飾りリボン作製具の使用状態を説明するための平面図である。
【図８】図１に示す飾りリボン作製具の使用状態を説明するための平面図である。
【発明を実施するための形態】
【００１５】
以下、本発明の好ましい実施の形態について、図面を参照して具体的に説明する。
【００１６】
図１〜図４は、本発明に係る飾りリボン作製具の一実施形態を示している。図１および図２に表れているように、本実施形態の飾りリボン作製具Ａは、リング状板部１と、複数の延出片２とを備えており、たとえば、リボンテープからロゼットなどの飾りリボンを作製するために用いるものである。詳細は後述するが、飾りリボン作製具Ａは、特に、ロゼットを構成するプリーツ部を作製するために用いられる。
【００１７】
リング状板部１は、所定の厚みを有する板状であり、円環形状をなしている。
【００１８】
複数の延出片２は、各々、リング状板部１の内側縁から内側に延びている。複数の延出片２は、リング状板部１の周方向において一定ピッチで配されている。これら延出片２は、それぞれが実質的に同じ形状とされている。本実施形態において、飾りリボン作製具Ａは、偶数枚の延出片２を備えている。図１に示した飾りリボン作製具Ａは、２４枚の延出片２を具備する。
【００１９】
各延出片２は、第１の端縁２ａおよび第２の端縁２ｂを有する。第１の端縁２ａは、リング状板部１の周方向における一方側端（図中反時計回り側の端）において直線状に延びる。第２の端縁２ｂは、リング状板部１の周方向における他方側端（図中時計回り側の端）において直線状に延びる。各延出片２と、これとリング状板部１の周方向において隣接する他の延出片２とは、それらの一部ずつが厚さ方向視において重なる。具体的には、各延出片２のうち第１の端縁２ａの少なくとも一部を含む第１部分２１と、当該延出片２に対してリング状板部１の周方向において一方側（図中反時計回り側）に隣接する延出片２のうち第２の端縁２ｂの少なくとも一部を含む第２部分２２とが、リング状板部１の厚さ方向視において重なっている。
【００２０】
図２、図３から理解されるように、複数の延出片２それぞれにおける上記第１部分２１は、これと重なり合う上記第２部分２２に対して、リング状板部１の厚さ方向（図２において紙面の垂直方向）の片方である、図２における紙面の手前側（第１方向側）に位置する。
【００２１】
リング状板部１およびこれにつながる複数の延出片２は、たとえばポリプロピレンなどの樹脂材料により形成されたものである。各部の寸法の一例を挙げると、リング状板部１の外径寸法が６〜１５ｃｍ程度、リング状板部１の厚さが０．６〜１．６ｍｍ程度、延出片２の厚さが０．３〜０．８ｍｍ程度、延出片２におけるリング状板部１周方向の幅が６〜１２ｍｍ程度である。延出片２は、その厚さ寸法が適度に小さくされている。これにより、延出片２は、厚さ方向に適度な力を加えることによって弾性変形（曲げ変形）可能である。
【００２２】
各延出片２における第１の端縁２ａおよび第２の端縁２ｂは、リング状板部１の径方向内方に向かうにつれて互いが近づく。本実施形態では、図２に示すように、リング状板部１の厚さ方向視において、第１の端縁２ａの延長線２０ａがリング状板部１の中心Ｏｘに最も近づく第１位置Ｐ１と第２の端縁２ｂの延長線２０ｂが上記中心Ｏｘに最も近づく第２位置Ｐ２とは、上記中心Ｏｘを挟んで反対側に位置する。また、リング状板部１の中心Ｏｘと第２位置Ｐ２との距離は、上記中心Ｏｘと第１位置Ｐ１との距離よりも小さい。なお、複数の延出片２には、リング状板部１の厚さ方向（図２において紙面の垂直方向）の片方である紙面の手前側（第１方向）とは反対の紙面の奥側（第２方向）に見て、リング状板部１と同心円状の案内線２３が設けられている。案内線２３は、複数の延出片２に跨って設けられており、全体として円形をなす。
【００２３】
本実施形態において、飾りリボン作製具Ａは、実質的に同一な２つのプレート部材Ｂ１，Ｂ２によって構成される。図４は、プレート部材Ｂ１（Ｂ２）を示している。プレート部材Ｂ１（Ｂ２）は、円環状の第１リング板部１１（第２リング板部１２）と、複数の延出片２とを有する。複数の延出片２は、第１リング板部１１（第２リング板部１２）の周方向において一定ピッチで配されている。プレート部材Ｂ１（Ｂ２）は、１２枚の延出片２を備え、これら延出片２は互いが重なっていない。
【００２４】
第１リング板部１１および第２リング板部１２は、厚さ方向においてぴったり重なり合う状態で溶着あるいは接着等の適宜手段によって接合されている。このようにして接合された第１リング板部１１および第２リング板部１２によってリング状板部１が構成される。
【００２５】
このとき、第１リング板部１１および第２リング板部１２それぞれに設けられた１２枚ずつの延出片２については、周方向の配列ピッチの半分だけずらした状態とされる。そして、互いに隣接する延出片２においては、その一部が上記のように厚さ方向視において重なっており、図２に示したように、第１の端縁２ａを含む第１部分２１が紙面の手前側に位置するように、延出片２の重合部分が整えられる。なお、図４においても、図２に示した第１部分２１、第２部分２２、延長線２０ａ，２０ｂ、第１位置Ｐ１、第２位置Ｐ２および中心Ｏｘをそれぞれ表している。
【００２６】
図２、図４から理解されるように、飾りリボン作製具Ａを構成する複数の延出片２のうち、リング状板部１の周方向において一つ置きに位置する半数のものは第１リング板部１１につながっており、残り半数のものは第２リング板部１２につながっている。
【００２７】
次に、本実施形態の飾りリボン作製具Ａの使用方法および作用について、図５〜図８を参照して説明する。
【００２８】
飾りリボン作製具Ａを用いて、ロゼットの構成部材であるプリーツ部を作製する。まず、図５に示すように、リボンテープＲを準備し、リボンテープＲの端部を飾りリボン作製具Ａの裏側から隣接する一対の延出片２の間に差し込み、リボンテープＲの長手方向の端縁Ｒ１を延出片２の第１の端縁２ａと合わせる。ここで、リボンテープＲの幅方向の端縁Ｒ２を案内線２３に合わせておく。
【００２９】
次に、図６に示すように、リボンテープＲを、リボンテープＲの端縁Ｒ１を揃えた延出片２に対して時計回り方向に隣接する延出片２における第２の端縁２ｂで折り返す。リボンテープＲの折り返した部分を一対の延出片２の間に差し込み、延出片２の第１の端縁２ａに合わせて折り返す。このときも、リボンテープＲの幅方向の端縁Ｒ２を案内線２３に合わせておく。
【００３０】
次いで、図７に示すように、リボンテープＲを、図６にて当該リボンテープＲを第１の端縁２ａに合わせて折り返す基準となった延出片２に対して、時計回り方向に隣接する延出片２における第２の端縁２ｂで折り返す。リボンテープＲの折り返した部分を一対の延出片２の間に差し込み、延出片２の第１の端縁２ａに合わせて折り返す。このときも、リボンテープＲの幅方向の端縁Ｒ２を案内線２３に合わせておく。
【００３１】
以降、時計回りに方向に隣接する延出片２についてリボンテープＲの折り返し操作を順次繰り返す。そうすると、図８に示すように、略円形のプリーツ部Ｐｔが形成される。その後、リボンテープＲの余り部分を切断し、プリーツ部Ｐｔの内周縁付近を１周縫うと、プリーツ部Ｐｔの形態が保持される。そして、プリーツ部Ｐｔのうち延出片２に挟まった部分から取り外し、リボン片やくるみボタン等の装飾物を取り付けることで、ロゼット（いずれも図示略）が得られる。
【００３２】
本実施形態の飾りリボン作製具Ａにおいて、複数の延出片２については、隣接する延出片２の第１部分２１および第２部分２２がリング状板部１の厚さ方向視において重なっている。また、図３を参照したように、複数の延出片２それぞれにおける第１部分２１は、これと重なり合う第２部分２２に対して常に同じ側にある。これにより、隣接する一対の延出片２の間にリボンテープＲを差し込みつつ当該リボンテープＲを折り返す操作を繰り返すことで、プリーツ部Ｐｔを形成することができる。そして、本実施形態によれば、リボンテープＲを折り返す毎に縫い作業を行う必要がなく、プリーツ部Ｐｔの形状が完成した後にまとめて縫い作業を行うことができるので、プリーツ部Ｐｔを効率よく作製することができる。
【００３３】
第２の端縁２ｂは、リボンテープＲを折り返す際に巻き付けられ、第１の端縁２ａは、リボンテープＲを折り返す際の位置合わせの基準となる。したがって、第１の端縁２ａおよび第２の端縁２ｂは、いずれもリボンテープＲの折り返しの際のガイドとして機能する。したがって、本実施形態によれば、プリーツ部Ｐｔを簡単かつ効率よく作製することができる。
【００３４】
各延出片２における第１の端縁２ａおよび第２の端縁２ｂは、リング状板部１の径方向内方に向かうにつれて互いが近づく。具体的には、リング状板部１の厚さ方向視において、第１の端縁２ａの延長線２０ａがリング状板部１の中心Ｏｘに最も近づく第１位置Ｐ１と第２の端縁２ｂの延長線２０ｂが中心Ｏｘに最も近づく第２位置Ｐ２とは、中心Ｏｘを挟んで反対側に位置する。そして、中心Ｏｘと第２位置Ｐ２との距離は、中心Ｏｘと第１位置Ｐ１との距離よりも小さい。このような構成によれば、リボンテープＲの折り返し操作を繰り返すと、折り返されたひだの配列が円形に近づくように方向付けられる。したがって、本実施形態によれば、形状の整ったプリーツ部Ｐｔを簡単に作製することができる。
【００３５】
また、複数の延出片２には、リング状板部１と同心円状の案内線２３が設けられている。この案内線２３についても、折り返されたひだの配列が円形に近づくためのガイドとして機能する。このような構成によれば、作製されるプリーツ部Ｐｔの形状をより整え易くなる。
【００３６】
以上、本発明の具体的な実施形態を説明したが、本発明はこれに限定されるものではなく、発明の思想から逸脱しない範囲内で種々な変更が可能である。本発明に係る飾りリボン作製具の具体的な形状や材質なども、上記実施形態に限定されるものではない。たとえば、複数の延出片の数量については、飾りリボン作製具のサイズ（即ち、作製されるプリーツ部のサイズ）に応じて適宜変更することができる。
【符号の説明】
【００３７】
Ａ        飾りリボン作製具
Ｂ１，Ｂ２    プレート部材
Ｐｔ      プリーツ部
Ｒ        リボンテープ
１        リング状板部
１１      第１リング板部
１２      第２リング板部
２        延出片
２ａ      第１の端縁
２ｂ      第２の端縁
２０ａ，２０ｂ    延長線
２１      第１部分
２２      第２部分
２３      案内線
２３１    単位円弧
２４      非屈曲領域
３        開口
Ｏｘ      中心（リング状板部の中心）
Ｐ１      第１位置
Ｐ２      第２位置
【図１】
0006662193.tif 000002
【図２】
0006662193.tif 000003
【図３】
0006662193.tif 000004
【図４】
0006662193.tif 000005
【図５】
0006662193.tif 000006
【図６】
0006662193.tif 000007
【図７】
0006662193.tif 000008
【図８】
0006662193.tif 000009